(57)【特許請求の範囲】
【請求項１】
通信プロトコルのＴＣＰ／ＩＰ通信が可能なネットワーク上で利用端末が物理的に接続されている当該ネットワーク上に存在する機器を稼動・非稼働に依らずに検出した導通確認結果をネットワーク構成図として図式化する機器導通状況図式化システムであって、
前記利用端末は、ＤＨＣＰ（Ｄｙｎａｍｉｃ  Ｈｏｓｔ  Ｃｏｆｉｇｕｒａｔｉｏｎ  Ｐｒｏｔｏｃｏｌ）構成情報をファイル化して保有するＤＨＣＰサーバ端末と、
前記ネットワーク経由で前記ＤＨＣＰサーバ端末から取得した前記ＤＨＣＰ構成情報、内部でファイル化して保有する取得したパケットの情報であるパケットキャプチャ情報、及び内部でファイル化して保有するＩＰ（Ｉｎｔｅｒｎｅｔ  Ｐｒｏｔｏｃｏｌ）アドレスからイーサネットの物理アドレスを動的に得るための対照表を示すＡＲＰ（Ａｄｄｒｅｓｓ  Ｒｅｓｏｌｕｔｉｏｎ  Ｐｒｏｔｏｃｏｌ）テーブル情報に基づいて前記機器の導通確認対象となるものを抽出し、当該抽出した機器についてのＩＰアドレスをパラメータに設定することで導通確認パラメータを作成する導通確認パラメータ作成処理部、前記導通確認パラメータに基づいて自機器及び確認対象である相手先機器を示す前記機器の通信経路情報と当該機器の導通状況とを取得した結果から結果リストを作成してファイル化して保有する導通確認処理部、並びに前記結果リストに基づいて前記ネットワーク構成図を作成してファイル化して保有すると共に、当該ネットワーク構成図を出力するネットワーク構成図出力処理部を含むシステム操作端末と、
を備えたことを特徴とする機器導通状況図式化システム。
【請求項２】
請求項１記載の機器導通状況図式化システムにおいて、前記導通確認処理部では、前記通信経路情報を確認するツール名「ｔｒａｃｅｒｏｕｔｅ」のツールを実行することにより前記結果リストを作成することを特徴とする機器導通状況図式化システム。
【発明の詳細な説明】
【技術分野】
【０００１】
本発明は、新規ネットワークを構築するか、或いは既存ネットワーク構成を変更する際、ネットワーク上に接続された機器の導通状況を確認する作業を支援すると共に、導通状況確認結果をネットワーク構成図として図式化する機器導通状況図式化システムに関する。
【背景技術】
【０００２】
従来、ネットワークを新規に構築したり、或いは既存ネットワーク構成を変更する際には、ネットワーク上に接続された機器の導通状況を確認し、正常に通信を行うことができるか否かを確認する必要がある。
【０００３】
こうした場合の一般的な確認方法としては、通信プロトコルのＩＣＭＰ（Ｉｎｔｅｒｎｅｔ  Ｃｏｎｔｒｏｌ  Ｍｅｓｓａｇｅ  Ｐｒｏｔｏｃｏｌ）おける接続を確認するために送られる要求データである“ｅｃｈｏ  ｒｅｑｕｅｓｔ”パケットを通信対象となる端末や通信機器となる対象ノードに投げ、対象ノードから接続を確認するために送られる応答データである“ｅｃｈｏ  ｒｅｐｌｙ”が返ってくることで到達性を確認するツール名「ｐｉｎｇ」のツールやツール名「ｔｒａｃｅｒｏｕｔｅ」のツールを利用する場合を例示できる。因みに、ツール名「ｐｉｎｇ」のツールは、自機器と相手先機器の導通を確認するツールであり、入力情報として導通確認対象のＩＰ（Ｉｎｔｅｒｎｅｔ  Ｐｒｏｔｏｃｏｌ）アドレス又はホスト名を指定する。ツール名「ｔｒａｃｅｒｏｕｔｅ」のツールは、自機器と相手先機器の通信経路を確認するツールであり、入力情報として導通確認対象のＩＰアドレス又はホスト名を指定する。
【０００４】
上述したネットワーク上に接続された機器の導通状況を確認する周知技術としては、ネットワークに接続された通信機器をネットワーク経由で監視・制御するためのプロトコルとして知られるＳＮＭＰ（Ｓｉｍｐｌｅ  Ｎｅｔｗｏｒｋ  Ｍａｎａｇｅｍｅｎｔ  ｐｒｏｔｏｃｏｌ）を実装しているネットワーク環境でネットワークノード内部の物理的な機器構成を自動的に検出する「インテリジェントなネットワーク中継装置を有するネットワーク構成の自動認識方法及びシステム」（特許文献１参照）が挙げられる。
【先行技術文献】
【特許文献】
【０００５】
【特許文献１】特開２００１−２１７８３２号公報
【発明の概要】
【発明が解決しようとする課題】
【０００６】
上述した周知のネットワーク上に接続された機器の導通状況を確認する技術として、ツール名「ｐｉｎｇ」や「ｔｒａｃｅｒｏｕｔｅ」を単独で利用する手法によれば、導通確認対象となる機器のＩＰアドレスか機器名称を1台分ずつ入力してツールを実行する必要があるため、確認対象数に比例して入力データ量が増加することにより、入力誤りや入力漏れを招く可能性が高くなってしまうという問題がある他、出力が文字形式であるために一目で確認結果を認識し難く、確認対象数に比例して確認結果の見落としや読み取り誤りを招く可能性が高くなるという問題があり、更に導通していなかった場合には導通確認対象機器が物理的にネットワーク接続されていないのか、或いは非稼働であるのかを判断できないという問題がある。
【０００７】
また、特許文献１に係る技術は、ＳＮＭＰマネージャを実装した管理者端末からネットワークノード内の各ネットワーク機器に対してＩＣＭＰエコーリクエストを送信し、その応答内容によって通信機器から接続機器情報を取得し、その接続機器情報に基づいてネットワーク構成を認識すると共に、認識結果からネットワーク構成図を作成して出力する機能を持つものであるが、ここでは前提条件としてＳＮＭＰ通信が可能であるインテリジェントな通信機器がネットワーク上に設置されている必要があるため、適用できる範囲が通信機器の構成に依存してしまうという問題がある他、インテリジェントな通信機器が設置されている場合でもその機器が稼動状態にあって、且つＳＮＭＰ通信が可能である必要があるため、通信機器本体や通信に異常が発生した場合にはその通信機器に接続している全機器の情報を取得できなくなってしまうという問題がある。
【０００８】
本発明は、このような問題点を解決すべくなされたもので、その技術的課題は、導通確認対象となる機器の構成や状態（稼動／非稼動、異常発生の有無）に拘わらず、その機器に接続されている全機器を含むネットワーク構成図を適確に作成できる機器導通状況図式化システムを提供することにある。
【課題を解決するための手段】
【０００９】
上記技術的課題を解決するため、本発明の第１の手段は、通信プロトコルのＴＣＰ／ＩＰ通信が可能なネットワーク上で利用端末が物理的に接続されている当該ネットワーク上に存在する機器を稼動・非稼働に依らずに検出した導通確認結果をネットワーク構成図として図式化する機器導通状況図式化システムであって、利用端末は、ＤＨＣＰ（Ｄｙｎａｍｉｃ  Ｈｏｓｔ  Ｃｏｆｉｇｕｒａｔｉｏｎ  Ｐｒｏｔｏｃｏｌ）構成情報をファイル化して保有するＤＨＣＰサーバ端末と、ネットワーク経由でＤＨＣＰサーバ端末から取得したＤＨＣＰ構成情報、内部でファイル化して保有する取得したパケットの情報であるパケットキャプチャ情報、及び内部でファイル化して保有するＩＰアドレスからイーサネット（登録商標）の物理アドレスを動的に得るための対照表を示すＡＲＰ（Ａｄｄｒｅｓｓ  Ｒｅｓｏｌｕｔｉｏｎ  Ｐｒｏｔｏｃｏｌ）テーブル情報に基づいて機器の導通確認対象となるものを抽出し、当該抽出した機器についてのＩＰアドレスをパラメータに設定することで導通確認パラメータを作成する導通確認パラメータ作成処理部、導通確認パラメータに基づいて自機器及び確認対象である相手先機器を示す機器の通信経路情報と当該機器の導通状況とを取得した結果から結果リストを作成してファイル化して保有する導通確認処理部、並びに結果リストに基づいてネットワーク構成図を作成してファイル化して保有すると共に、当該ネットワーク構成図を出力するネットワーク構成図出力処理部を含むシステム操作端末と、を備えたことを特徴とする。
【００１０】
本発明の第２の手段は、第１の手段において、導通確認処理部では、通信経路情報を確認するツール名「ｔｒａｃｅｒｏｕｔｅ」のツールを実行することにより結果リストを作成することを特徴とする。
【発明の効果】
【００１１】
本発明の機器導通状況図式化システムによれば、通信プロトコルのＴＣＰ／ＩＰ通信が可能なネットワーク環境上で利用端末が物理的に接続されているネットワーク上に存在する機器を稼動・非稼働に依らずに検出した導通確認結果をネットワーク構成図として図式化し、具体的には利用端末のＤＨＣＰサーバがＤＨＣＰ構成情報を保有して管理し、ＤＨＣＰサーバとネットワークを介して接続された利用端末のシステム操作端末がＤＨＣＰ構成情報、内部でファイル化して保有するパケットキャプチャ情報及びＡＲＰテーブル情報に基づいて抽出した機器についてのＩＰアドレスをパラメータに設定して作成した導通確認パラメータに基づいて自機器及び確認対象である相手先機器を示す機器の通信経路情報、導通状況を取得した結果から結果リストを作成し、結果リストに基づいてネットワーク構成図を作成してファイル化して出力するため、導通確認対象となる通信機器の構成や状態（稼動／非稼動、異常発生の有無）に拘わらず、その機器に接続されている全機器を含むネットワーク構成図を適確に作成することができる。
【図面の簡単な説明】
【００１２】
【図１】本発明の実施例１に係る機器導通状況図式化システムの基本構成を示したブロック図である。
【図２】図１に示す機器導通状況図式化システムを適用したネットワークセグメントの構成例を示したブロック図である。
【図３】図１に示す機器導通状況図式化システムに備えられるシステム操作端末のシステム処理部の動作処理を示したフローチャートである。
【図４】図１に示す機器導通状況図式化システムに備えられる導通確認パラメータ作成処理部における導通確認パラメータ作成処理を示したフローチャートである。
【図５】図１に示す機器導通状況図式化システムに備えられる導通確認処理部における導通確認処理を示したフローチャートである。
【図６】図１に示す機器導通状況図式化システムに備えられるネットワーク構成図出力処理部におけるネットワーク構成図出力処理を示すフローチャートである。
【図７】図６で説明したネットワーク構成図出力処理で得られた出力情報であるネットワーク構成図のサンプルを例示した模式図である。
【発明を実施するための形態】
【００１３】
以下、本発明の機器導通状況図式化システムについて、実施例を挙げ、図面を参照して詳細に説明する。
【００１４】
最初に、本発明の機器導通状況図式化システムの着想に至った技術的背景を説明する。一般にネットワークの新規導入や構成変更の作業は、業務を一時的に停止させるため、限定された時間内で漏れなく完遂する必要があるが、ネットワークの規模が巨大になる程、導通確認の対象範囲が広がるため、全体の作業時間の内、導通確認に費やす時間を短縮することが重要な課題となっている。そこで、本発明では比較的導入率が高い機能と考えられるＤＨＣＰ機能、ネットワーク分野で一般的な技術であるパケットキャプチャ、並びにコンピュータ端末に標準で用意されているＡＲＰテーブルに着目し、これらのＤＨＣＰ構成情報、パケットキャプチャ情報、及びＡＲＰテーブル情報を入力情報とすることにより入力操作を軽減し、通信機器環境（ネットワークの構成）に依存せずに使用可能であり、機器情報の検出を行って導通状況や稼働状況を識別できるネットワーク構成図を作成して出力するシステムを具現することを目的としている。
【００１５】
因みに、ＤＨＣＰ構成情報は、ＤＨＣＰサーバで設定されているＤＨＣＰ機能の情報であり、具体的にはスコープ、ＩＰアドレス・プール、各ＤＨＣＰオプション・パラメータを例示できる。また、パケットキャプチャ情報は、取得したパケットの情報であり、具体的には送信元ＩＰアドレス、送信先ＩＰアドレス、送信時刻、プロトコルを例示できる。更に、ＡＲＰテーブル情報はＩＰアドレスと物理アドレスであるＭＡＣ（Ｍｅｄａ  Ａｃｃｅｓｓ  Ｃｏｎｔｒｏｌ）アドレスの対照表の情報であり、具体的にはＩＰアドレス、ＭＡＣアドレス、エントリータイプを例示できる。
【実施例１】
【００１６】
図１は、本発明の実施例１に係る機器導通状況図式化システムの基本構成を示したブロック図である。この機器導通状況図式化システムは、インターネットやイントラネットで標準的に使われる通信プロトコルのＴＣＰ／ＩＰ通信が可能なネットワーク上で利用端末が物理的に接続されているネットワーク上に存在する機器を稼動・非稼働に依らずに検出した導通確認結果をネットワーク構成図として図式化するものである。
【００１７】
具体的に云えば、ここでの利用端末は、ＤＨＣＰ構成情報をファイル化したＤＨＣＰ構成情報用ファイル１１１を内部のＤＨＣＰサーバ処理装置１１０に保有するＤＨＣＰサーバ端末１０９と、ネットワーク経由でＤＨＣＰサーバ端末１０９から取得したＤＨＣＰ構成情報、内部のパケットキャプチャ情報用ファイル１０５にファイル化して保有する取得したパケットの情報であるパケットキャプチャ情報、及び内部のＡＲＰテーブル情報用ファイル１０６にファイル化して保有するＩＰアドレスからイーサネットの物理アドレス（ＭＡＣアドレス）を動的に得るための対照表を示すＡＲＰテーブル情報に基づいて機器の導通確認対象となるものを抽出し、抽出した機器についてのＩＰアドレスをパラメータに設定することで導通確認パラメータを作成する導通確認パラメータ作成処理部１０２、導通確認パラメータに基づいて自機器及び確認対象である相手先機器を示す機器の通信経路情報と機器の導通状況とを取得した結果から結果リストを作成してファイル化して結果リスト用ファイル１０７として保有する導通確認処理部１０３、並びに結果リスト用ファイル１０７の結果リストに基づいてネットワーク構成図を作成してファイル化してネットワーク構成図用ファイル１０８として保有すると共に、ネットワーク構成図を出力するネットワーク構成図出力処理部１０４を含むシステム操作端末１００と、を備えている。
【００１８】
このうち、導通確認パラメータ作成処理部１０２、導通確認処理部１０３、並びにネットワーク構成図出力処理部１０４は、合わせてシステム操作端末１００におけるシステム処理装置１０１内に設けられる。また、導通確認処理部１０３では、通信経路情報を確認するツール名「ｔｒａｃｅｒｏｕｔｅ」のツールを実行することにより結果リストを作成する。ツール名「ｔｒａｃｅｒｏｕｔｅ」のツールは、自機器と相手先機器の通信経路を確認するツールであり、具体的には入力情報として疎通確認対象のＩＰアドレス又はホスト名を指定するものである。
【００１９】
上述した機器導通状況図式化システムにおいて、システム操作端末１００のシステム処理装置１０１内に設けられた導通確認パラメータ作成処理部１０２、並びにパケットキャプチャ情報用ファイル１０５と、システム操作端末１００を管理するためのＤＨＣＰサーバ端末１０９のＤＨＣＰサーバ処理装置１１０が保有するＤＨＣＰ構成情報用ファイル１１１とが合わせて入力部となる。
【００２０】
パケットキャプチャ情報用ファイル１０５は、パケットキャプチャの結果がファイル出力されたパケットキャプチャ情報を保有する。ＡＲＰテーブル情報用ファイル１０６は、システム操作端末１００でファイル出力されたＡＲＰテーブルの登録内容を示すＡＲＰテーブル情報を保有する。ＤＨＣＰ構成情報用ファイル１１１は、ＤＨＣＰサーバ端末１０９でファイル出力されたＤＨＣＰサーバ処理装置１１０の構成内容を示すＤＨＣＰ構成情報を保有する。そこで、導通確認パラメータ作成処理部１０２では、これらのＤＨＣＰ構成情報、パケットキャプチャ情報、及びＡＲＰテーブル情報に基づいて導通確認対象となる機器を抽出し、そのＩＰアドレスをパラメータに設定して導通確認パラメータを作成する。
【００２１】
また、システム操作端末１００のシステム処理装置１０１内に設けられた導通確認処理部１０３、並びに結果リスト用ファイル１０７が合わせて処理部となる。ここでの導通確認処理部１０３は、導通確認パラメータ作成処理部１０２で作成された導通確認パラメータから結果リストを作成して結果リスト用ファイル１０７へ出力し、結果リスト用ファイル１０７が結果リストを保有する。
【００２２】
更に、システム操作端末１００のシステム処理装置１０１内に設けられたネットワーク構成図出力処理部１０４、並びにネットワーク構成図用ファイル１０８が合わせて出力部となる。ここでのネットワーク構成図出力処理部１０４は、結果リスト用ファイル１０７の結果リストに基づいてネットワーク構成図を作成してネットワーク構成図用ファイル１０８へ出力し、ネットワーク構成図用ファイル１０８がネットワーク構成図を保有する。
【００２３】
尚、図１に示す機器導通状況図式化システムでは、システム操作端末１００とＤＨＣＰサーバ端末１０９とがネットワーク上で利用端末として接続された構成を説明したが、システム操作端末１００だけを利用端末として構成することも可能である。前者の場合、導通確認パラメータ作成処理部１０２における入力情報はパケットキャプチャ情報、ＡＲＴテーブル情報、ＤＨＣＰ情報の３種であるが、後者の場合にはパケットキャプチャ情報、ＡＲＰテーブル情報の２種となる。
【００２４】
実施例１に係る機器導通状況図式化システムは、ＤＨＣＰ情報、パケットキャプチャ情報、及びＡＲＴテーブル情報を利用することで、機器情報（ＩＰアドレスや機器名称）の入力作業を不要とし、本システムの利用端末が属さないネットワークセグメント上の機器や非稼動である機器の検出を行うことができる。
【００２５】
図２は、実施例１に係る機器導通状況図式化システムを適用したネットワークセグメントの構成例を示したブロック図である。
【００２６】
ここでのネットワークセグメントの構成は、実施例１に係る機器導通状況図式化システムの利用端末としてのシステム操作端末１００及びＤＨＣＰサーバ端末１０９を含んでそれに属する第１のネットワークセグメント２００とそれに属さない第２のネットワークセグメント２０５とが中継通信機器としてのルータ２０４により接続されたものである。
【００２７】
実施例１に係る機器導通状況図式化システムのシステム操作端末１００及びＤＨＣＰサーバ端末１０９は、それが属する第１のネットワークセグメント２００からそれが属さない第２のネットワークセグメント２０５内における各種機器の検出が可能な適用範囲の広い機能を特色とする。
【００２８】
第１のネットワークセグメント２００におけるＤＨＣＰクライアント端末２０１は、ｄＤＨＣＰサーバ端末１０９からＩＰアドレスを取得する端末である。パケットキャプチャ処理で検出した端末２０２は、システム操作端末１００で実施されるパケットキャプチャ処理で検出される端末である。ＡＲＰテーブル情報から検出した端末２０３は、システム操作端末１００のＡＲＰテーブルに機器情報が登録されている端末である。
【００２９】
第２のネットワークセグメント２０５におけるＤＨＣＰクライアント端末２０６は、ルータ２０４を経由して第１のネットワークセグメント２００におけるＤＨＣＰサーバ端末１０９からＩＰアドレスを取得する端末である。パケットキャプチャ処理で検出した端末２０７は、ルータ２０４を経由して第１のネットワークセグメント２００におけるシステム操作端末１００で実施されるパケットキャプチャ処理で検出される端末である。
【００３０】
図３は、実施例１に係る機器導通状況図式化システムに備えられるシステム操作端末１００のシステム処理部１０１の動作処理を示したフローチャートである。
【００３１】
システム処理部１０１の動作処理では、まず導通確認パラメータ作成処理部１０２がＤＨＣＰ構成情報用ファイル１１１、パケットキャプチャ情報用ファイル１０５、ＡＲＰテーブル情報用ファイル１０６を参照し、それらのＤＨＣＰ構成情報、パケットキャプチャ情報、及びＡＲＰテーブル情報に基づいて導通確認パラメータを作成する導通確認パラメータ作成処理（ステップＳ３０１）を行う。
【００３２】
次に、導通確認処理部１０３が作成された導通確認パラメータに基づいて結果リストを作成する導通確認処理（ステップＳ３０２）を行い、その結果リストを結果リスト用ファイル１０７へ出力して保有させる。
【００３３】
更に、ネットワーク構成図出力処理部１０４が結果リスト用ファイル１０７からの結果リストに基づいてネットワーク構成図を作成してネットワーク構成図用ファイル１０８へ出力するネットワーク構成図出力処理（ステップＳ３０３）を行い、ネットワーク構成図用ファイル１０８にネットワーク構成図を保有させて動作処理を終了する。
【００３４】
図４は、導通確認パラメータ作成処理部１０２における導通確認パラメータ作成処理を示したフローチャートである。この導通確認パラメータ作成処理は、導通確認パラメータの作成を目的とする。
【００３５】
そこで、導通確認パラメータ作成処理では、まず導通確認パラメータ作成処理部１０２がパケットキャプチャ処理（ステップＳ４０１）を行い、パケットキャプチャ情報を生成してパケットキャプチャ情報用ファイル１０５へ出力して保有させる。このパケットキャプチャ処理（ステップＳ４０１）は、後述するＡＲＰテーブル情報設定処理（ステップＳ４０４）が完了するまで継続して情報を収集し、パケットキャプチャ結果設定処理（ステップＳ４０５）によりパケットキャプチャ情報から取得した機器のＩＰアドレスをパラメータに設定することで導通確認パラメータを作成するものである。
【００３６】
次に、導通確認パラメータ作成処理部１０２は、ＤＨＣＰ構成情報用ファイル１１１からのＤＨＣＰ構成情報によりＤＨＣＰ機能を利用している端末の機器情報をパラメータに設定するＤＨＣＰ構成情報設定処理（ステップ４０２）を行った後、システム端末が属するネットワークセグメントの全ホストアドレスを入力としてツール名「ｐｉｎｇ」のツールを実行するｐｉｎｇ処理（ステップ４０３）を行うことにより、ＡＲＰテーブル情報を生成し、ＡＲＰテーブル情報用ファイル１０６に保有させる。
【００３７】
更に、導通確認パラメータ作成処理部１０２は、ＡＲＰテーブル情報用ファイル１０６からのＡＲＰテーブル情報によりシステム端末が属するネットワークセグメントの機器のＩＰアドレスをパラメータに設定するＡＲＰテーブル情報設定処理（ステップＳ４０４）を行う。尚、ここでは上述したＤＨＣＰ構成情報設定処理（ステップＳ４０２）で既に設定済みの場合には設定を行わない。
【００３８】
最後に、導通確認パラメータ作成処理部１０２は、パケットキャプチャ情報用ファイル１０５からのパケットキャプチャ情報により取得した機器のＩＰアドレスをパラメータに設定することで導通確認パラメータを作成するパケットキャプチャ結果設定処理（ステップＳ４０５）を行った後、動作処理を終了する。
【００３９】
図５は、導通確認処理部１０３における導通確認処理を示したフローチャートである。この導通確認処理は、機器の導通状況と経路情報とを取得することを目的とする。
【００４０】
そこで、導通確認処理では、まず導通確認処理部１０３が処理対象となる機器のＩＰアドレス情報を取得する導通確認パラメータ読込処理（ステップＳ５０１）を行った後、前処理で取得したＩＰアドレスを入力として、ツール名「ｔｒａｃｅｒｏｕｔｅ」のツールを実行するｔｒａｃｅｒｔ処理（ステップＳ５０２）を行う。
【００４１】
更に、導通確認処理部１０３は、ツールの実行結果により機器の導通状況と経路情報とを結果リストとして作成し、その結果リストを結果リスト用ファイル１０７へ出力して保有させる結果リスト作成処理（ステップＳ５０３）を行って動作処理を終了する。
【００４２】
図６は、ネットワーク構成図出力処理部１０４におけるネットワーク構成図出力処理を示したフローチャートである。このネットワーク構成図出力処理は、導通状況と稼働状況とが識別可能なネットワーク構成図を作成して出力することを目的とする。
【００４３】
ネットワーク構成図出力処理では、まずネットワーク構成図出力処理部１０４が結果リスト用ファイル１０７からの結果リストにより導通状況と経路情報とを読み込む結果リスト読込処理（ステップＳ６０１）を行い、ネットワーク構成図の構成要素となる機器情報と機器間の接続情報とを取得する。
【００４４】
更に、ネットワーク構成図出力処理部１０４は、機器情報及び接続情報に基づいて機器と機器間の接続とを図式化し、ネットワーク構成図を作成してネットワーク構成図用ファイル１０８へ出力して保有させるネットワーク構成図作成処理（ステップＳ６０２）を行ってから動作処理を終了する。
【００４５】
図７は、上述したネットワーク構成図出力処理で得られた出力情報であるネットワーク構成図のサンプルを例示した模式図である。但し、ここでのサンプルは、画像処理化されてシステム操作端末１００に付設される表示装置の表示画面上に表示されるものとする。
【００４６】
このネットワーク構成図のサンプルでは、各機器を丸形ノード、セグメントを四角形ノード、セグメントの中継機器を丸の中に×を記述した形のノードで表示している。また、ノードの内側に表示している文字は、ＩＰアドレスやセグメント情報である。ここではノードの色、エッジ（ノードを結ぶ線）の種類を使い分けることにより、導通状況や稼働状況を識別可能とすることができる。例えばノードが白色であれば導通可能を示し、ノードが灰色であれば導通不可を示し、エッジが実線であれば稼働を示し、エッジが破線であれば非稼働を示す場合を例示できる。
【００４７】
以上に説明した実施例１に係る機器導通状況図式化システムは、ツール名「ｐｉｎｇ」や「ｔｒａｃｅｒｏｕｔｅ」を単独で利用する手法と比較すると、ＤＨＣＰ構成情報、パケットキャプチャ情報、ＡＲＰテーブル情報を入力とすることで、機器情報（ＩＰアドレスや機器名称）を1台分ずつ入力する作業が不要となり、入力データ量が導通確認対象数に依存しないため、確認対象が多数存在する場合についても、入力作業時間を短縮し、入力誤りや入力漏れを招く可能性を軽減することができる。また、ネットワーク構成図を作成することで、導通状況を色、稼働状況を線の種類で表示するため、文字と比べて一目で確認結果を認識可能とし、確認結果の見落としや読み取り誤りをする可能性を軽減することができる。更に、入力情報から確認対象機器を検出して導通確認を行うため、検出できたが導通していない機器は非稼働であると認識し、その情報をネットワーク構成図に出力するため、導通していなかった場合でも導通確認対象機器が物理的にネットワーク接続されていないのか、或いは非稼働であるのかを適確に判断することができる。
【００４８】
一方、特許文献１記載の技術と比較しても、入力情報が通信機器の構成に依存しないため、ノンインテリジェントな通信機器を利用しているネットワーク環境でも非稼動状態である機器を含むネットワーク構成図を作成することが可能となる。また、情報取得先が通信機器ではなく、システム操作端末１００を管理するＤＨＣＰサーバ端末１０９であるため、一部の通信機器が故障した場合でも、その機器に接続されている全機器を含むネットワーク構成図を作成することが可能となる。
【符号の説明】
【００４９】
１００  システム操作端末
１０１  システム処理装置
１０２  導通確認パラメータ作成処理部
１０３  導通確認処理部
１０４  ネットワーク構成図出力処理部
１０５  パケットキャプチャ情報用ファイル
１０６  ＡＲＰテーブル情報用ファイル
１０７  結果リスト用ファイル
１０８  ネットワーク構成図用ファイル
１０９  ＤＨＣＰサーバ端末
１１０  ＤＨＣＰサーバ処理装置
２００  第１のネットワークセグメント
２０１、２０６  ＤＨＣＰクライアント端末
２０２、２０７  パケットキャプチャ処理で検出した端末
２０３  ＡＲＰテーブル情報から検出した端末
２０４  ルータ（中継通信機器）
２０５  第２のネットワークセグメント
【図１】
0005793405.tif 000002
【図２】
0005793405.tif 000003
【図３】
0005793405.tif 000004
【図４】
0005793405.tif 000005
【図５】
0005793405.tif 000006
【図６】
0005793405.tif 000007
【図７】
0005793405.tif 000008